(57)【要約】      （修正有）【課題】二重購入、食品探し等々を削除出来、速やかに食材取り出し処理が可能で、消費電力の節約にも繋がる食品内容早見プレートを提供する。【解決手段】冷蔵庫各部所（冷凍室、冷蔵室、チルド室、野菜室）等のドア−表面部所に磁石付きボ−ドに冷蔵庫内各部所の食品内容を写真、及び食品名、賞味期限、点字を書き入れることで冷蔵庫内の食品内容物を一目で判るようにする事により探す手間も省け、尚かつ、速やかに食品を取り出すことが出来、食品の劣化及び消費電力エコ等にも役立つことを特徴とする。【選択図】図１
0003169062.tif 000002
【実用新案登録請求の範囲】
【請求項１】
冷蔵庫ドア表面の金属部を利用し磁石ボ−ドを型抜き、冷蔵庫の各部所ドア部に写真、点字、食品名付き食品と同じ内容を添付する事により、二重購入、食品探し等々を速やかに処理する事を特徴とする冷蔵庫内食品内容早見プレ−ト。
【請求項２】
冷蔵庫使用者に於いては、冷蔵庫ドア−表面部に何も貼りたくないとの方々もおり、冷蔵庫横壁もしくは食器棚側面に冷蔵庫内購入食品プレ−ト及び冷蔵庫内使用済み食品プレ−ト、購入予定予備食品プレ−ト等々を磁石付きボ−ド及びコルクボ−ドに添付することを特徴とする冷蔵庫内食品内容早見プレ−ト。
【考案の詳細な説明】
【技術分野】
【０００１】  本考案は冷蔵庫内の食品を一目にして食品の在処を教えるプレ−トである。
【背景技術】
【０００２】  本考案は冷蔵庫ドア表面の金属部を利用し磁石ボ−ドを型抜き、冷蔵庫の各部所ドア部に図１の様に例えば冷凍室、奥、手前、上段、中段、下段及び左側、真ん中、右側、個数（例×２）と表示磁石プレ−トを冷蔵庫ドア−に貼り付け同様に冷蔵室、野菜室と購入した食品を写真、印字及び手書き文字（専用マ−カ−使用）、点字等で表した写真、点字、食品名付き食品と同じ内容を添付する事により、二重購入、食品探し等々を削除出来速やかに食材取り出し処理が可能、消費電力にも繋がる。
【考案の概要】
【考案が解決しようとする課題】
【０００３】  本考案は主に高齢者、記憶障害者、視覚障害者、子育て従事者、軽度痴呆性老人等々の方々に対し冷蔵庫内の食品の在処を記憶従属することは大変な事で、冷蔵庫内の奥に入れた食品は時として腐敗状況で発見される事もしばしで、賞味期限、消費期限食品を減らし、無駄を省き食費、食材を有効活用する事を目的とする冷蔵庫内食品内容早見プレ−トである。
【課題を解決するための手段】
【０００４】    冷蔵庫各部所（冷凍室、冷蔵室、チルド室、野菜室）等のドア−表面部所に磁石付きボ−ドに冷蔵庫内各部所の食品内容を写真、及び食品名、賞味期限、点字を書き入れることで冷蔵庫内の食品内容物を一目で判るようにする事により探す手間も省け、尚かつ、速やかに食品を取り出すことが出来、食品の劣化及び消費電力エコ等にも役立つことを特徴とする、冷蔵庫内食品内容早見プレ−ト。
【考案の効果】
【０００５】  上述の様に、冷蔵庫表面、各部所（冷凍室、冷蔵室、野菜室）に各部所の中身食材に対し一目瞭然を目的し食品の腐敗、食品の在処が直ぐ判明するが為に、食品取り出しがスム−スに行われ、ドア−の開口が短縮出来ることにより、節電、食品劣化を押さえることにつながりまた、幼児の情操教育にもつながる効果がある。
以下を本考案の図面に基づいて説明する。
【図面の簡単な説明】
【０００６】
【図１】本考案実施の一例を示す一般的な冷蔵庫の正面に冷蔵庫内食品内容早見プレ−トを添付した正面図である。
【図２】食品内容早見プレ−トを冷蔵庫表面に張りたくない等の方々に対して壁掛け磁石ボ−ド（マグネットシ−ト）に添付し、尚かつ食品プレ−ト予備として冷蔵庫内使用済み食品プレ−トを添付するようにする利便性と共に効果的である。
【図３】食品早見プレ−トを拡大した物で１は食品写真、２はその食品写真の食品名を点字に、３は食品写真の名称をひらがな、カタカナ、漢字で表した。
【図４】第３図の食品早見プレ−ト食品写真の上部に３〜５ｍｍ程の穴を開けることにより壁掛け磁石ボ−ド板及びコルク板に食品早見プレ−トを添付、貼り付けを可能にした。
【考案を実施するための形態】
【０００７】  各食品展示コ−ナ−の食品同様写真を食品プレ−トに転写し、野菜、魚、肉コ−ナ−陳列棚の商品各５種類を１パッケ−ジにし、各商品陳列棚横に陳列展示販売する。
【図１】
0003169062.tif 000003
【図２】
0003169062.tif 000004
【図３】
0003169062.tif 000005
【図４】
0003169062.tif 000006
【手続補正書】
【提出日】平成23年1月24日(2011.1.24)
【手続補正１】
【補正対象書類名】実用新案登録請求の範囲
【補正対象項目名】全文
【補正方法】変更
【補正の内容】
【実用新案登録請求の範囲】
【請求項１】
冷蔵庫ドア表面の金属部に縦５０ｍｍ×横３０ｍｍ×厚み１ｍｍ（食品写真縦３５ｍｍ×横３０ｍｍ／食品名、点字及び賞味期限を各各欄縦５ｍｍ×横３０ｍｍ）のマグネットシ−トに転写、印字した磁石ボ−ドを型抜き（マグネットシ−ト）冷蔵庫の各部所ドア部に写真、点字、食品名付き食品と同じ内容を添付する事により、二重購入、食品探し等々を速やかに処理する為の形状を有する冷蔵庫内食品内容早見プレ−ト。
【請求項２】
冷蔵庫使用者に於いては、冷蔵庫ドア−表面部に何も貼りたくないとの方々もおり、冷蔵庫横壁もしくは食器棚側面に冷蔵庫内購入食品プレ−ト及び冷蔵庫内使用済み食品プレ−ト、購入予定予備食品プレ−ト等々を磁石付きボ−ド及びコルクボ−ドに添付する為の形状を有する冷蔵庫内食品内容早見プレ−ト。
【手続補正２】
【補正対象書類名】明細書
【補正対象項目名】全文
【補正方法】変更
【補正の内容】
【考案の詳細な説明】
【技術分野】
【０００１】  本考案は冷蔵庫内の食品を一目にして食品の在処を教えるプレ−トである。
【背景技術】
【０００２】  本考案は冷蔵庫ドア表面の金属部を利用し磁石ボ−ドを型抜き、冷蔵庫の各部所ドア部に図１の様に例えば冷凍室、奥、手前、上段、中段、下段及び左側、真ん中、右側、個数（例×２）と表示磁石プレ−トを冷蔵庫ドア−に貼り付け同様に冷蔵室、野菜室と購入した食品を写真、印字及び手書き文字（専用マ−カ−使用）、点字等で表した写真、点字、食品名付き食品と同じ内容を添付する事により、二重購入、食品探し等々を削除出来速やかに食材取り出し処理が可能、消費電力にも繋がる。
【考案の概要】
【考案が解決しようとする課題】
【０００３】  本考案は主に高齢者、記憶障害者、視覚障害者、子育て従事者、軽度痴呆性老人等々の方々に対し冷蔵庫内の食品の在処を記憶従属することは大変な事で、冷蔵庫内の奥に入れた食品は時として腐敗状況で発見される事もしばしで、賞味期限、消費期限食品を減らし、無駄を省き食費、食材を有効活用する事を目的とする冷蔵庫内食品内容早見プレ−トである。
【課題を解決するための手段】
【０００４】    冷蔵庫各部所（冷凍室、冷蔵室、チルド室、野菜室）等のドア−表面部所に磁石付きボ−ドに冷蔵庫内各部所の食品内容を写真、及び食品名、賞味期限、点字を書き入れることで冷蔵庫内の食品内容物を一目で判るようにする事により探す手間も省け、尚かつ、速やかに食品を取り出すことが出来、食品の劣化及び消費電力エコ等にも役立つことを特徴とする、冷蔵庫内食品内容早見プレ−ト。
【考案の効果】
【０００５】  上述の様に、冷蔵庫表面、各部所（冷凍室、冷蔵室、野菜室）に各部所の中身食材に対し一目瞭然を目的し食品の腐敗、食品の在処が直ぐ判明するが為に、食品取り出しがスム−スに行われ、ドア−の開口が短縮出来ることにより、節電、食品劣化を押さえることにつながりまた、幼児の情操教育にもつながる効果がある。
以下を本考案の図面に基づいて説明する。
【図面の簡単な説明】
【０００６】
【図１】本考案実施の一例を示す一般的な冷蔵庫の正面に▲１▼［図３］の内容を有した冷蔵庫内食品内容早見プレ−トを添付した正面図である。
【図２】食品内容早見プレ−トを冷蔵庫表面に張りたくない等の方々に対して壁掛け磁石ボ−ド板（マグネットシ−ト）及びコルクボ−ド板に食品内容早見プレ−トを吊すピン及びＬネジに▲２▼［図４］の内容を有した冷蔵庫内食品内容早見プレ−トを添付し、尚かつ食品プレ−ト予備として冷蔵庫内使用済み食品プレ−トを添付するようにする利便性と共に効果的である。
【図３】食品早見プレ−トを拡大した物で▲３▼は食品写真（縦３５ｍｍ×横３０ｍｍ）、▲４▼はその食品写真の食品名（縦５ｍｍ×横３０ｍｍ）を点字に、▲５▼は消費期限表示（縦５ｍｍ×横３０ｍｍ）、▲６▼は▲１▼の食品写真同様の名称（縦５ｍｍ×横３０ｍｍ）をひらがな、カタカナ又は漢字で表す。
【図４】［図３］の内容を有した食品早見プレ−ト食品写真の上部に▲７▼３〜５ｍｍ程の穴を開けることにより壁掛け磁石ボ−ド板及びコルク板に食品早見プレ−トを添付、貼り付けを可能にした。
【考案を実施するための形態】
【０００７】        本考案は冷蔵庫ドア−表面部の金属部に縦５０ｍｍ×横３０ｍｍ×厚み１ｍｍ（食品写真縦３５ｍｍ×横３０ｍｍ／食品名、点字及び賞味期限を各各欄縦５ｍｍ×横３０ｍｍ）のマグネットシ−トに転写、印字の形状をしたマグネットシ−トに転写されている食品と同種の食品を購入し、それぞれ購入した食品を冷蔵庫の各部所ドア−部に例えば冷凍室、奥、手前、上段、中段、下段及び左側、真ん中、右側、個数（例×２）と食品表示マグネットシ−トを各冷蔵庫ドア−に貼り付けることにより二重購入、食品探し等々速やかに処理するなどの効果や、冷蔵庫使用者に於いては、高齢者、視覚障害者等々の方々もおり老若男女問わず使用可能の形状を有する冷蔵庫内食品内容早見プレ−ト。
【手続補正３】
【補正対象書類名】図面
【補正対象項目名】全図
【補正方法】変更
【補正の内容】
【図１】
0003169062.tif 000007
【図２】
0003169062.tif 000008
【図３】
0003169062.tif 000009
【図４】
0003169062.tif 000010
【手続補正書】
【提出日】平成23年4月25日(2011.4.25)
【手続補正１】
【補正対象書類名】実用新案登録請求の範囲
【補正対象項目名】全文
【補正方法】変更
【補正の内容】
【実用新案登録請求の範囲】
【請求項１】
マグネットシ−トに、食品写真のための欄、及び食品名、点字及び賞味期限を記載するための欄を設けたことを特徴とする冷蔵庫内食品内容早見プレ−ト。
【請求項２】
前記冷蔵庫内食品内容早見プレ−トの上部に３〜５ｍｍほどの穴を開けたことを特徴とする請求項１に記載の冷蔵庫内食品内容早見プレ−ト。
【手続補正２】
【補正対象書類名】明細書
【補正対象項目名】全文
【補正方法】変更
【補正の内容】
【考案の詳細な説明】
【技術分野】
【０００１】  本考案は冷蔵庫内の食品を一目にして食品の在処を教えるプレ−トである。
【背景技術】
【０００２】  本考案は冷蔵庫ドア表面の金属部を利用し磁石ボ−ドを型抜き、冷蔵庫の各部所ドア部に図１の様に例えば冷凍室、奥、手前、上段、中段、下段及び左側、真ん中、右側、個数（例×２）と表示磁石プレ−トを冷蔵庫ドア−に貼り付け同様に冷蔵室、野菜室と購入した食品を写真、印字及び手書き文字（専用マ−カ−使用）、点字等で表した写真、点字、食品名付き食品と同じ内容を添付する事により、二重購入、食品探し等々を削除出来速やかに食材取り出し処理が可能、消費電力にも繋がる。
【考案の概要】
【考案が解決しようとする課題】
【０００３】  本考案は主に高齢者、記憶障害者、視覚障害者、子育て従事者、軽度痴呆性老人等々の方々に対し冷蔵庫内の食品の在処を記憶従属することは大変な事で、冷蔵庫内の奥に入れた食品は時として腐敗状況で発見される事もしばしで、賞味期限、消費期限食品を減らし、無駄を省き食費、食材を有効活用する事を目的とする冷蔵庫内食品内容早見プレ−トである。
【課題を解決するための手段】
【０００４】    冷蔵庫各部所（冷凍室、冷蔵室、チルド室、野菜室）等のドア−表面部所に磁石付きボ−ドに冷蔵庫内各部所の食品内容を写真、及び食品名、賞味期限、点字を書き入れることで冷蔵庫内の食品内容物を一目で判るようにする事により探す手間も省け、尚かつ、速やかに食品を取り出すことが出来、食品の劣化及び消費電力エコ等にも役立つことを特徴とする、冷蔵庫内食品内容早見プレ−ト。
【考案の効果】
【０００５】  上述の様に、冷蔵庫表面、各部所（冷凍室、冷蔵室、野菜室）に各部所の中身食材に対し一目瞭然を目的し食品の腐敗、食品の在処が直ぐ判明するが為に、食品取り出しがスム−スに行われ、ドア−の開口が短縮出来ることにより、節電、食品劣化を押さえることにつながりまた、幼児の情操教育にもつながる効果がある。
以下を本考案の図面に基づいて説明する。
【図面の簡単な説明】
【０００６】
【図１】本考案実施の一例を示す一般的な冷蔵庫の正面に▲１▼「図３」の内容を有した冷蔵庫内食品内容早見プレ−トを添付した正面図である。
【図２】食品内容早見プレ−トを冷蔵庫表面に張りたくない等の方々に対して壁掛け磁石ボ−ド板（マグネットシ−ト）及びコルクボ−ド板に食品内容早見プレ−トを吊すピン及びＬネジに▲２▼「図４」の内容を有した冷蔵庫内食品内容早見プレ−トを添付し、尚かつ食品プレ−ト予備として冷蔵庫内使用済み食品プレ−トを添付するようにする利便性と共に効果的である。
【図３】食品早見プレ−トを拡大した物で▲３▼は食品写真（縦３５ｍｍ×横３０ｍｍ）、▲４▼はその食品写真の食品名（縦５ｍｍ×横３０ｍｍ）を点字に、▲５▼は消費期限表示（縦５ｍｍ×横３０ｍｍ）、▲６▼は▲１▼の食品写真同様の名称（縦５ｍｍ×横３０ｍｍ）をひらがな、カタカナ又は漢字で表す。
【図４】「図３」の内容を有した食品早見プレ−ト食品写真の上部に▲７▼３〜５ｍｍ程の穴を開けることにより壁掛け磁石ボ−ド板及びコルク板に食品早見プレ−トを添付、貼り付けを可能にした。
【考案を実施するための形態】
【０００７】本考案は冷蔵庫内の食品内容物を一目にして理解出来るよう冷蔵庫各ドア−（冷凍室、冷蔵室、野菜室）等表面部に縦５０ｍｍ×横３０ｍｍ×厚み１ｍｍほどのマグネットシ−トに庫内の食品内容物を表した冷蔵庫内食品内容早見プレ−ト。
【手続補正３】
【補正対象書類名】図面
【補正対象項目名】全図
【補正方法】変更
【補正の内容】
【図１】
0003169062.tif 000011
【図２】
0003169062.tif 000012
【図３】
0003169062.tif 000013
【図４】
0003169062.tif 000014